(57)【要約】【構成】ムービーボタン４６ｍｖは、非操作状態，半押し状態および全押し状態の間で遷移する。ＣＰＵ４４は、イメージセンサ１６によって捉えられた被写界を表す動画像とマイクロフォン３２によって捉えられた音声とを符号化状態で記録媒体４２に記録する。ＣＰＵ４４はまた、非操作状態から半押し状態または全押し状態へのムービーボタン４６ｍｖの遷移を動画像および音声の記録処理と並列して検知し、これに応答して記録処理を停止する。ＣＰＵ４４はさらに、ムービーボタン４６ｍｖの遷移が検知されてから指定期間が経過するまでムービーボタン４６ｍｖの状態の変更を受け付けて、ムービーボタン４６ｍｖの操作状態を確定する。ＣＰＵ４４はまた、記録処理の停止に伴う終端処理をムービーボタン４６ｍｖの確定操作状態に応じて異なる態様で実行する。【効果】操作性が向上する。【選択図】図２
2012004731.tif 000002
【特許請求の範囲】
【請求項１】
非操作状態，第１操作状態および第２操作状態を含む複数の状態の間で遷移する特定キー、
外部から取り込まれたコンテンツを記録する記録手段、
前記非操作状態から前記第１操作状態および前記第２操作状態のいずれか一方への前記特定キーの遷移を前記記録手段の記録処理と並列して検知する検知手段、
前記検知手段の検知に応答して前記記録手段を停止する停止手段、
前記検知手段の検知から指定期間が経過するまで前記特定キーの操作状態の変更を受け付けて前記特定キーの操作状態を確定する確定手段、および
前記停止手段の停止処理に伴う終端処理を前記確定手段によって確定された操作状態に応じて異なる態様で実行する終端処理手段を備える、コンテンツ処理装置。
【請求項２】
前記終端処理手段は前記確定手段によって確定された操作状態が前記第１操作状態であるとき前記記録手段によって注目されるコンテンツに第１識別情報を割り当てる第１割り当て手段を含む、請求項１記載のコンテンツ処理装置。
【請求項３】
停止状態にある前記記録手段を前記非操作状態から前記第１操作状態および前記第２操作状態のいずれか一方への前記特定キーの遷移に応答して起動する起動手段、および
前記起動手段によって起動された前記記録手段によって注目されるコンテンツに第２識別情報を割り当てる処理を前記第１割り当て手段の割り当て処理に対応して実行する第２割り当て手段をさらに備える、請求項２記載のコンテンツ処理装置。
【請求項４】
前記第１割り当て手段によって割り当てられた第１識別情報を有するコンテンツと前記第２割り当て手段によって割り当てられた第２識別情報を有するコンテンツとを連続的に再生する再生手段をさらに備える、請求項３記載のコンテンツ処理装置。
【請求項５】
前記確定手段は、前記操作状態の変更を受け付けたとき前記指定期間の経過を待つことなく前記操作状態を確定する第１状態確定手段、および前記操作状態の変更を受け付けることなく前記指定期間が経過したとき前記操作状態を確定する第２状態確定手段を含む、請求項１ないし４のいずれかに記載のコンテンツ処理装置。
【請求項６】
被写界を表す動画像を前記コンテンツの少なくとも一部として取り込む動画取り込み手段をさらに備え、
前記特定キーは前記第１操作状態を経て前記第２操作状態に遷移するキーに相当する、請求項１ないし５のいずれかに記載のコンテンツ処理装置。
【請求項７】
非操作状態，第１操作状態および第２操作状態を含む複数の状態の間で遷移する特定キーを備えるコンテンツ処理装置のプロセッサに、
外部から取り込まれたコンテンツを記録する記録手ステップ、
前記非操作状態から前記第１操作状態および前記第２操作状態のいずれか一方への前記特定キーの遷移を前記記録ステップの記録処理と並列して検知する検知ステップ、
前記検知ステップの検知に応答して前記記録ステップを停止する停止ステップ、
前記検知ステップの検知から指定期間が経過するまで前記特定キーの操作状態の変更を受け付けて前記特定キーの操作状態を確定する確定ステップ、および
前記停止ステップの停止処理に伴う終端処理を前記確定ステップによって確定された操作状態に応じて異なる態様で実行する終端処理ステップを実行させるための、コンテンツ処理プログラム。
【請求項８】
非操作状態，第１操作状態および第２操作状態を含む複数の状態の間で遷移する特定キーを備えるコンテンツ処理装置によって実行されるコンテンツ処理方法であって、
外部から取り込まれたコンテンツを記録する記録手ステップ、
前記非操作状態から前記第１操作状態および前記第２操作状態のいずれか一方への前記特定キーの遷移を前記記録ステップの記録処理と並列して検知する検知ステップ、
前記検知ステップの検知に応答して前記記録ステップを停止する停止ステップ、
前記検知ステップの検知から指定期間が経過するまで前記特定キーの操作状態の変更を受け付けて前記特定キーの操作状態を確定する確定ステップ、および
前記停止ステップの停止処理に伴う終端処理を前記確定ステップによって確定された操作状態に応じて異なる態様で実行する終端処理ステップを備える、コンテンツ処理方法。
【請求項９】
非操作状態，第１操作状態および第２操作状態を含む複数の状態の間で遷移する特定キー、および
メモリに保存された内部制御プログラムに従う処理を実行するプロセッサを備えるコンテンツ処理装置に供給される外部制御プログラムであって、
外部から取り込まれたコンテンツを記録する記録手ステップ、
前記非操作状態から前記第１操作状態および前記第２操作状態のいずれか一方への前記特定キーの遷移を前記記録ステップの記録処理と並列して検知する検知ステップ、
前記検知ステップの検知に応答して前記記録ステップを停止する停止ステップ、
前記検知ステップの検知から指定期間が経過するまで前記特定キーの操作状態の変更を受け付けて前記特定キーの操作状態を確定する確定ステップ、および
前記停止ステップの停止処理に伴う終端処理を前記確定ステップによって確定された操作状態に応じて異なる態様で実行する終端処理ステップを前記内部制御プログラムと協働して前記プロセッサに実行させるための、外部制御プログラム。
【請求項１０】
非操作状態，第１操作状態および第２操作状態を含む複数の状態の間で遷移する特定キー、
外部制御プログラムを取り込む取り込み手段、および
前記取り込み手段によって取り込まれた外部制御プログラムとメモリに保存された内部制御プログラムとに従う処理を実行するプロセッサを備えるコンテンツ処理装置であって、
前記外部制御プログラムは、
外部から取り込まれたコンテンツを記録する記録手ステップ、
前記非操作状態から前記第１操作状態および前記第２操作状態のいずれか一方への前記特定キーの遷移を前記記録ステップの記録処理と並列して検知する検知ステップ、
前記検知ステップの検知に応答して前記記録ステップを停止する停止ステップ、
前記検知ステップの検知から指定期間が経過するまで前記特定キーの操作状態の変更を受け付けて前記特定キーの操作状態を確定する確定ステップ、および
前記停止ステップの停止処理に伴う終端処理を前記確定ステップによって確定された操作状態に応じて異なる態様で実行する終端処理ステップを前記内部制御プログラムと協働して実行するプログラムに相当する、コンテンツ処理装置。
【発明の詳細な説明】
【技術分野】
【０００１】
この発明は、コンテンツ処理装置に関し、特にディジタルビデオカメラに適用され、外部から取り込まれたコンテンツの記録処理をキー操作に従って制御する、コンテンツ処理装置に関する。
【背景技術】
【０００２】
この種の装置の一例が、特許文献１に開示されている。この背景技術によれば、シャッターボタンが押下されると、動画像データを記憶媒体に書き込む記録動作が開始される。開始された記録動作は一時停止ボタンの押下によって一時的に停止され、停止された記録動作は再度の一時停止ボタンの押下によって再開される。記録動作はまた、再度のシャッターボタンの押下によって終了される。
【先行技術文献】
【特許文献】
【０００３】
【特許文献１】特開２００５−１９１７５６号公報
【発明の概要】
【発明が解決しようとする課題】
【０００４】
しかし、背景技術では、記録動作の開始／終了を制御するためのボタンと記録動作の一時停止／再開を制御するボタンとが別々に設けられるため、ボタン間での指の移動が必要となる。ここで、記録動作の開始／終了および一時停止／再開を単一のボタンで指示するようにすれば、ボタン間での指の移動が不要となるものの、ボタン操作を誤るおそれがある。
【０００５】
それゆえに、この発明の主たる目的は、操作性を向上させることができる、コンテンツ処理装置を提供することである。
【課題を解決するための手段】
【０００６】
この発明に従うコンテンツ処理装置(10：実施例で相当する参照符号。以下同じ)は、非操作状態，第１操作状態および第２操作状態を含む複数の状態の間で遷移する特定キー(46mv)、外部から取り込まれたコンテンツを記録する記録手段(S13~S23, S27)、非操作状態から第１操作状態および第２操作状態のいずれか一方への特定キーの遷移を記録手段の記録処理と並列して検知する検知手段(S25)、検知手段の検知に応答して記録手段を停止する停止手段(S29~S35)、検知手段の検知から指定期間が経過するまで特定キーの操作状態の変更を受け付けて特定キーの操作状態を確定する確定手段(S41~S43, S55~S57)、および停止手段の停止処理に伴う終端処理を確定手段によって確定された操作状態に応じて異なる態様で実行する終端処理手段(S45~S51, S59~S65)を備える。
【０００７】
好ましくは、終端処理手段は確定手段によって確定された操作状態が第１操作状態であるとき記録手段によって注目されるコンテンツに第１識別情報を割り当てる第１割り当て手段(S47~S49, S63~S65)を含む。
【０００８】
さらに好ましくは、停止状態にある記録手段を非操作状態から第１操作状態および第２操作状態のいずれか一方への特定キーの遷移に応答して起動する起動手段(S3)、および起動手段によって起動された記録手段によって注目されるコンテンツに第２識別情報を割り当てる処理を第１割り当て手段の割り当て処理に対応して実行する第２割り当て手段(S9~S11)がさらに備えられる。
【０００９】
より好ましくは、第１割り当て手段によって割り当てられた第１識別情報を有するコンテンツと第２割り当て手段によって割り当てられた第２識別情報を有するコンテンツとを連続的に再生する再生手段(S89, S93, S97~S105)がさらに備えられる。
【００１０】
好ましくは、確定手段は、操作状態の変更を受け付けたとき指定期間の経過を待つことなく操作状態を確定する第１状態確定手段(S41, S55)、および操作状態の変更を受け付けることなく指定期間が経過したとき操作状態を確定する第２状態確定手段(S43, S57)を含む。
【００１１】
好ましくは、被写界を表す動画像をコンテンツの少なくとも一部として取り込む動画取り込み手段(S1)がさらに備えられ、特定キーは第１操作状態を経て第２操作状態に遷移するキーに相当する。
【００１２】
この発明に従うコンテンツ処理プログラムは、非操作状態，第１操作状態および第２操作状態を含む複数の状態の間で遷移する特定キー(46mv)を備えるコンテンツ処理装置(10)のプロセッサ(44)に、外部から取り込まれたコンテンツを記録する記録手ステップ(S13~S23, S27)、非操作状態から第１操作状態および第２操作状態のいずれか一方への特定キーの遷移を記録ステップの記録処理と並列して検知する検知ステップ(S25)、検知ステップの検知に応答して記録ステップを停止する停止ステップ(S29~S35)、検知ステップの検知から指定期間が経過するまで特定キーの操作状態の変更を受け付けて特定キーの操作状態を確定する確定ステップ(S41~S43, S55~S57)、および停止ステップの停止処理に伴う終端処理を確定ステップによって確定された操作状態に応じて異なる態様で実行する終端処理ステップ(S45~S51, S59~S65)を実行させるための、コンテンツ処理プログラムである。
【００１３】
この発明に従うコンテンツ処理方法は、非操作状態，第１操作状態および第２操作状態を含む複数の状態の間で遷移する特定キー(46mv)を備えるコンテンツ処理装置(10)によって実行されるコンテンツ処理方法であって、外部から取り込まれたコンテンツを記録する記録手ステップ(S13~S23, S27)、非操作状態から第１操作状態および第２操作状態のいずれか一方への特定キーの遷移を記録ステップの記録処理と並列して検知する検知ステップ(S25)、検知ステップの検知に応答して記録ステップを停止する停止ステップ(S29~S35)、検知ステップの検知から指定期間が経過するまで特定キーの操作状態の変更を受け付けて特定キーの操作状態を確定する確定ステップ(S41~S43, S55~S57)、および停止ステップの停止処理に伴う終端処理を確定ステップによって確定された操作状態に応じて異なる態様で実行する終端処理ステップ(S45~S51, S59~S65)を備える。
【００１４】
この発明に従う外部制御プログラムは、非操作状態，第１操作状態および第２操作状態を含む複数の状態の間で遷移する特定キー(46mv)、およびメモリ(48)に保存された内部制御プログラムに従う処理を実行するプロセッサ(44)を備えるコンテンツ処理装置(10)に供給される外部制御プログラムであって、外部から取り込まれたコンテンツを記録する記録手ステップ(S13~S23, S27)、非操作状態から第１操作状態および第２操作状態のいずれか一方への特定キーの遷移を記録ステップの記録処理と並列して検知する検知ステップ(S25)、検知ステップの検知に応答して記録ステップを停止する停止ステップ(S29~S35)、検知ステップの検知から指定期間が経過するまで特定キーの操作状態の変更を受け付けて特定キーの操作状態を確定する確定ステップ(S41~S43, S55~S57)、および停止ステップの停止処理に伴う終端処理を確定ステップによって確定された操作状態に応じて異なる態様で実行する終端処理ステップ(S45~S51, S59~S65)を内部制御プログラムと協働してプロセッサに実行させるための、外部制御プログラムである。
【００１５】
この発明に従うコンテンツ処理装置(10)は、非操作状態，第１操作状態および第２操作状態を含む複数の状態の間で遷移する特定キー(46mv)、外部制御プログラムを取り込む取り込み手段(50)、および取り込み手段によって取り込まれた外部制御プログラムとメモリ(48)に保存された内部制御プログラムとに従う処理を実行するプロセッサ(44)を備えるコンテンツ処理装置であって、外部制御プログラムは、外部から取り込まれたコンテンツを記録する記録手ステップ(S13~S23, S27)、非操作状態から第１操作状態および第２操作状態のいずれか一方への特定キーの遷移を記録ステップの記録処理と並列して検知する検知ステップ(S25)、検知ステップの検知に応答して記録ステップを停止する停止ステップ(S29~S35)、検知ステップの検知から指定期間が経過するまで特定キーの操作状態の変更を受け付けて特定キーの操作状態を確定する確定ステップ(S41~S43, S55~S57)、および停止ステップの停止処理に伴う終端処理を確定ステップによって確定された操作状態に応じて異なる態様で実行する終端処理ステップ(S45~S51, S59~S65)を内部制御プログラムと協働して実行するプログラムに相当する、コンテンツ処理装置である。
【発明の効果】
【００１６】
この発明によれば、コンテンツの記録処理の途中で特定キーが操作されると、特定キーの操作状態に応じて異なる態様で記録処理が停止される。ただし、キー操作が検知されてから指定期間が経過するまでキー操作状態の変更が受け付けられ、これによってキー操作状態が確定する。終端処理の態様は、確定した操作状態によって異なる。このように特定キーの操作が検知されてから指定期間に操作状態の変更を受け付けることで、操作ミスを修正することができ、操作性が向上する。
【００１７】
この発明の上述の目的，その他の目的，特徴および利点は、図面を参照して行う以下の実施例の詳細な説明から一層明らかとなろう。
【図面の簡単な説明】
【００１８】
【図１】この発明の一実施例の基本的構成を示すブロック図である。
【図２】この発明の一実施例の構成を示すブロック図である。
【図３】図２実施例に適用されるＳＤＲＡＭのマッピング状態の一例を示す図解図である。
【図４】図２実施例によって作成されるＭＰ４ファイルのデータ構造の一例を示す図解図である。
【図５】（Ａ）は図２実施例の動作の一部を示すタイミング図であり、（Ｂ）は図２実施例の動作の他の一部を示すタイミング図である。
【図６】（Ａ）は図２実施例の動作のその他の一部を示すタイミング図であり、（Ｂ）は図２実施例の動作のさらにその他の一部を示すタイミング図である。
【図７】（Ａ）は図２実施例の動作の他の一部を示すタイミング図であり、（Ｂ）は図２実施例の動作のその他の一部を示すタイミング図である。
【図８】（Ａ）は図２実施例によって作成されたＭＰ４ファイルの一例を示す図解図であり、（Ｂ）は図２実施例によって作成されたＭＰ４ファイルの他の一例を示す図解図である。
【図９】図２実施例に適用されるＣＰＵの動作の一部を示すフロー図である。
【図１０】図２実施例に適用されるＣＰＵの動作の他の一部を示すフロー図である。
【図１１】図２実施例に適用されるＣＰＵの動作のその他の一部を示すフロー図である。
【図１２】図２実施例に適用されるＣＰＵの動作のさらにその他の一部を示すフロー図である。
【図１３】図２実施例に適用されるＣＰＵの動作の他の一部を示すフロー図である。
【図１４】図２実施例に適用されるＣＰＵの動作のその他の一部を示すフロー図である。
【図１５】図２実施例に適用されるＣＰＵの動作のさらにその他の一部を示すフロー図である。
【図１６】この発明の他の実施例の構成を示すブロック図である。
【発明を実施するための形態】
【００１９】
以下、この発明の実施の形態を図面を参照しながら説明する。
［基本的構成］
【００２０】
図１を参照して、この実施例のコンテンツ処理装置は、基本的に次のように構成される。特定キー１は、非操作状態，第１操作状態および第２操作状態を含む複数の状態の間で遷移する。記録手段２は、外部から取り込まれたコンテンツを記録する。検知手段３は、非操作状態から第１操作状態および第２操作状態のいずれか一方への特定キー１の遷移を記録手段２の記録処理と並列して検知する。停止手段４は、検知手段３の検知に応答して記録手段２を停止する。確定手段５は、検知手段３の検知から指定期間が経過するまで特定キー１の操作状態の変更を受け付けて特定キー１の操作状態を確定する。終端処理手段６は、停止手段４の停止処理に伴う終端処理を確定手段５によって確定された操作状態に応じて異なる態様で実行する。
【００２１】
コンテンツの記録処理の途中で特定キー１が操作されると、特定キー１の操作状態に応じて異なる態様で記録処理が停止される。ただし、キー操作が検知されてから指定期間が経過するまでキー操作状態の変更が受け付けられ、これによってキー操作状態が確定する。終端処理の態様は、確定した操作状態によって異なる。このように特定キー１の操作が検知されてから指定期間に操作状態の変更を受け付けることで、操作ミスを修正することができ、操作性が向上する。
［実施例］
【００２２】
図２を参照して、この実施例のディジタルビデオカメラ１０は、ドライバ１８ａおよび１８ｂによってそれぞれ駆動されるフォーカスレンズ１２および絞りユニット１４を含む。被写界の光学像は、これらの部材を通してイメージセンサ１６の撮像面に照射される。
【００２３】
キー入力装置４６に設けられたモード切換ボタン４６ｍｄによって記録モードが選択されると、ＣＰＵ４４は、記録制御タスクの下で動画取り込み処理を実行するべく、ドライバ１８ｃを起動する。ドライバ１８ｃは、１／６０秒毎に発生する垂直同期信号Ｖｓｙｎｃに応答して、撮像面を露光し、撮像面で生成された電荷をラスタ走査態様で読み出す。イメージセンサ１６からは、被写界を表す生画像データが６０ｆｐｓのフレームレートで出力される。
【００２４】
前処理回路２０は、イメージセンサ１６から出力された生画像データにディジタルクランプ，画素欠陥補正，ゲイン制御などの処理を施す。このような前処理を施された生画像データは、メモリ制御回路２２を通してＳＤＲＡＭ２４の生画像エリア２４ａ（図３参照）に書き込まれる。
【００２５】
後処理回路２６は、メモリ制御回路２２を通して生画像エリア２４ａにアクセスし、生画像データをラスタ走査態様で１／６０秒毎に読み出す。読み出された生画像データは色分離，白バランス調整，ＹＵＶ変換などの処理を施され、この結果、ＹＵＶ形式の画像データが作成される。作成された画像データは、メモリ制御回路２２を通してＳＤＲＡＭ２４のＹＵＶ画像エリア２４ｂ（図３参照）に書き込まれる。
【００２６】
ＬＣＤドライバ２８は、ＹＵＶ画像エリア２４ｂに格納された画像データを繰り返し読み出し、読み出された画像データをＬＣＤモニタ３０の解像度に適合するように縮小し、そして縮小された画像データに基づいてＬＣＤモニタ３０を駆動する。この結果、被写界を表すリアルタイム動画像（スルー画像）がモニタ画面に表示される。
【００２７】
前処理回路２０はまた、生画像データを簡易的にＹデータに変換し、変換されたＹデータをＣＰＵ４４に与える。ＣＰＵ４４は、撮像条件調整タスクの下でＹデータにＡＥ処理を施し、適正ＥＶ値を算出する。算出された適正ＥＶ値を定義する絞り量および露光時間はドライバ１８ｂおよび１８ｃにそれぞれ設定され、これによってスルー画像の明るさが適度に調整される。ＣＰＵ４４はまた、ＡＦ起動条件が満足されるときに、Ｙデータの高周波成分にＡＦ処理を施す。フォーカスレンズ１２はドライバ１８ａによって合焦点に配置され、これによってスルー画像の鮮鋭度が継続的に向上する。
【００２８】
キー入力装置４６に設けられたムービーボタン４６ｍｖは、非操作状態，半押し状態および全押し状態の間で遷移する。このようなムービーボタン４６ｍｖが非操作状態から全押し状態に遷移すると、記録開始操作が行われたとみなされる。ＣＰＵ４４は、記録制御タスクの下でメモリＩ／Ｆ４０を通して記録媒体４２にアクセスし、ＭＰ４ファイルを記録媒体４２に新規に作成する（作成されたＭＰ４ファイルはオープンされる）。
【００２９】
ファイル作成＆オープン処理が完了すると、ＣＰＵ４４は、ＭＰ４符号化処理の開始をＭＰＥＧ４コーデック３８に命令し、ＡＡＣ符号化処理の開始をＡＡＣコーデック３４に命令する。
【００３０】
ＭＰ４コーデック３８は、ＹＵＶ画像エリア２４ｂに格納された画像データをメモリ制御回路２２を通して繰り返し読み出し、読み出された画像データをＭＰＥＧ４方式に従って符号化し、そして符号化画像データつまりＭＰ４データをメモリ制御回路２２を通してＳＤＲＡＭ２４の符号化画像エリア２４ｃ（図３参照）に書き込む。
【００３１】
ＡＡＣコーデック３４は、マイクロフォン３２から出力された音声データをＡＡＣ方式に従って符号化し、符号化音声データつまりＡＡＣデータをメモリ制御回路２２を通してＳＤＲＡＭ２４の符号化音声エリア２４ｄ（図３参照）に書き込む。
【００３２】
ＣＰＵ４４はその後、６０フレームのＭＰ４データが得られる毎に、最新６０フレームのＭＰ４データおよび最新１秒分のＡＡＣデータをオープン状態のＭＰ４ファイルに転送する。最新６０フレームのＭＰ４データおよび最新１秒分のＡＡＣデータは、メモリ制御回路２２によって符号化画像エリア２４ｃおよび符号化音声エリア２４ｄから読み出され、メモリＩ／Ｆ４０を介してＭＰ４ファイルに書き込まれる。したがって、ＭＰ４データおよびＡＡＣデータは、図４に示す要領でＭＰ４ファイルに収められる。
【００３３】
こうして記録処理が実行されている途中でムービーボタン４６ｍｖが非操作状態から全押し状態または半押し状態に遷移すると、記録終了操作が行われたとみなされる。ＣＰＵ４４は、ＭＰ４符号化処理の停止をＭＰＥＧ４コーデック３８に命令するとともに、ＡＡＣ符号化処理の停止をＡＡＣコーデック３４に命令し、その後に残データ転送処理を実行する。ＳＤＲＡＭ２４に残存する６０フレーム未満のＭＰ４データおよび１秒未満のＡＡＣデータは、残データ転送処理によってＭＰ４ファイルに書き込まれる。オープン状態のＭＰ４ファイルは、残データ転送処理が完了した後にクローズされる。
【００３４】
ファイルクローズが完了すると、ＣＰＵ４４は、記録終了操作の態様がムービーボタン４６ｍｖの全押しおよび半押しのいずれであるかを判別し、ファイルクローズに伴う終端処理を判別結果に応じて異なる態様で実行する。
【００３５】
記録終了操作の態様が全押しであれば、ＣＰＵ４４は、ストップマーク点滅表示命令をＬＣＤドライバ２８に向けて発行する。“ストップ”を表すマークは、ＬＣＤドライバ２８によってＬＣＤモニタ３０に点滅表示される。
【００３６】
図５（Ａ）を参照して、“ストップ”の点滅表示が開始されてから１秒が経過する前にムービーボタン４６ｍｖが半押しされると、ＣＰＵ４４は、ポーズマーク点灯表示命令をＬＣＤドライバ２８に向けて発行する。この結果、“ポーズ”を表すマークがたとえば２秒間ＬＣＤモニタ３０に連続表示される。ＣＰＵ４４は続いて、クローズされたＭＰ４ファイルを再度オープンし、インデックス情報“TitleCloseIndex”とムービーボタン４６ｍｖが半押しされた時刻を示す時刻情報とをオープンされたＭＰ４ファイルのヘッダに記述する。ＭＰ４ファイルは、記述が完了した後にクローズされる。
【００３７】
一方、図５（Ｂ）を参照して、ムービーボタン４６ｍｖが半押しされることなく１秒が経過すると、ＣＰＵ４４は、ストップマーク点灯表示命令をＬＣＤドライバ２８に向けて発行する。この結果、“ストップ”を表すマークがたとえば２秒間ＬＣＤモニタ３０に連続表示される。
【００３８】
記録終了操作の態様が半押しであれば、ＣＰＵ４４は、ポーズマーク点滅表示命令をＬＣＤドライバ２８に向けて発行する。この結果、“ポーズ”を表すマークがＬＣＤモニタ３０に点滅表示される。
【００３９】
図６（Ａ）を参照して、“ポーズ”の点滅表示が開始されてから１秒が経過する前にムービーボタン４６ｍｖが全押しされると、ストップマーク点灯表示命令がＬＣＤドライバ２８に向けて発行される。この結果、“ストップ”を表すマークがたとえば２秒間ＬＣＤモニタ３０に連続表示される。
【００４０】
一方、図６（Ｂ）を参照して、ムービーボタン４６ｍｖが全押しされることなく１秒が経過すると、ＣＰＵ４４は、ポーズマーク点灯表示命令をＬＣＤドライバ２８に向けて発行する。“ポーズ”を表すマークは、たとえば２秒間ＬＣＤモニタ２８に連続表示される。ＣＰＵ４４は続いて、クローズされたＭＰ４ファイルを再度オープンし、インデックス情報“TitleCloseIndex”とムービーボタン４６ｍｖが半押しされた時刻を示す時刻情報とをオープンされたＭＰ４ファイルのヘッダに記述する。ＭＰ４ファイルは、記述が完了した後にクローズされる。
【００４１】
上述のように、記録処理が実行されている途中でのムービーボタン４４ｍｖの全押しまたは半押しが記録終了操作に相当する。ここで、全押し操作はストップ操作に相当する一方、半押し操作はポーズ操作に相当する。さらに、ポーズ操作が確定すると、インデックス情報“TitleCloseIndex”とポーズ操作が行われた時点の時刻を示す時刻情報とがＭＰ４ファイルのヘッダに記述される。
【００４２】
これを踏まえて、ＣＰＵ４４は、記録開始操作が行われたときに前回の記録終了操作の態様を判別する。前回の記録終了操作がムービーボタン４６ｍｖの全押しつまりストップ操作であれば、ＣＰＵ４４は、ＭＰ４ファイルがオープンされた後に記録処理を速やかに開始する（図７（Ａ）参照）。これに対して、前回の記録終了操作がムービーボタン４６ｍｖの半押しつまりポーズ操作であれば、ＣＰＵ４４は、インデックス情報“TitleCloseIndex”と記録開始操作の時刻を示す時刻情報とをオープンされたＭＰ４ファイルのヘッダに記述し、その後に記録処理を開始する（図７（Ｂ）参照）。
【００４３】
キー入力装置４６に設けられたモード切換モード切換ボタン４６ｍｄによって記録モードが選択されると、ＣＰＵ４４は、再生すべきＭＰ４ファイルを再生制御タスクの下で選択する。再生ＭＰ４ファイルは、キー入力装置４６に設けられたカーソルボタン４６ｃｓの操作に従って、記録媒体４２に保存された１または２以上のＭＰ４ファイルの中から選択される。
【００４４】
ＣＰＵ４４は続いて、再生ＭＰ４ファイルに納められた既定量のＭＰ４データおよびＡＡＣデータをメモリＩ／Ｆ４０を通して記録媒体４２から読み出し、読み出されたＭＰ４データおよびＡＡＣデータをメモリ制御回路２２を通してＳＤＲＡＭ２４の符号化画像エリア２４ｃおよび符号化音声エリア２４ｄに書き込む。
【００４５】
キー入力装置４６に設けられた再生ボタン４６ｐｌｙによって再生開始操作が行われると、ＣＰＵ４４は、再生処理を開始するべく、ＭＰ４復号処理の開始をＭＰＥＧ４コーデック３８に命令し、ＡＡＣ復号処理の開始をＡＡＣコーデック３４に命令する。
【００４６】
ＭＰ４コーデック３８は、符号化画像エリア２４ｃに格納されたＭＰ４データをメモリ制御回路２２を通して読み出し、読み出されたＭＰ４データを復号し、そして復号された画像データをメモリ制御回路２２を通してＳＤＲＡＭ２４のＹＵＶ画像エリア２４ｂに書き込む。
【００４７】
ＬＣＤドライバ２８は、こうしてＹＵＶ画像エリア２４ｂに格納された画像データをメモリ制御回路２２を通して読み出し、読み出された画像データをＬＣＤモニタ３０の解像度に適合するように縮小し、そして縮小された画像データに基づいてＬＣＤモニタ３０を駆動する。この結果、再生動画像がモニタ画面に表示される。
【００４８】
一方、ＡＡＣコーデック３４は、符号化音声エリア２４ｄに格納されたＡＡＣデータをメモリ制御回路２２を通して読み出し、読み出されたＡＡＣデータを復号し、そして復号された音声データをスピーカ３６に与える。この結果、再生音声が再生動画像に同期してスピーカ３６から出力される。
【００４９】
再生ボタン４６ｐｌｙによって再生終了操作が行われると、ＣＰＵ４４は、再生処理を停止するべく、ＭＰ４復号処理の停止をＭＰＥＧ４コーデック３８に命令し、ＡＡＣ復号処理の停止をＡＡＣコーデック３４に命令する。これによって、再生動画像および再生音声の出力が停止される。
【００５０】
再生終了操作を受け付ける前にＳＤＲＡＭ２４に残存する未再生のＭＰ４データのデータ量が閾値ＴＨを下回ると、ＣＰＵ４４は、後続する既定量のＭＰ４データおよびＡＡＣデータを上述の要領で記録媒体４２からＳＤＲＡＭ２４に転送する。この結果、再生動画像および再生音声が連続的に出力される。
【００５１】
再生ＭＰ４ファイルに格納されたＭＰ４データおよびＡＡＣデータのＳＤＲＡＭ２４への転送が完了すると、ＣＰＵ４４は、インデックス情報“TitleCloseIndex”を再生ＭＰ４ファイルのヘッダから検知する。インデックス情報“TitleCloseIndex”が存在しなければ、ＣＰＵ４４は、全てのＭＰ４データおよびＡＡＣデータの復号が完了するのを待って再生処理を終了する。これに対して、インデックス情報“TitleCloseIndex”が存在すれば、ＣＰＵ４４は、再生ＭＰ４ファイルのヘッダに記述された時刻情報を検出し、検出された時刻情報が示す時刻に直近の時刻を示す時刻情報が記述されたＭＰ４ファイルを探索し、そして再生ＭＰ４ファイルを発見されたＭＰ４ファイルに変更する。
【００５２】
したがって、記録開始操作によって開始された記録処理がポーズ操作によって終了され、かつポーズ操作の時刻が４月２１の１４時３２分２６秒であれば、図８（Ａ）に示すＭＰ４ファイルＦＬ１が作成される。ＭＰ４ファイルＦＬ１のヘッダには、インデックス情報“TitleCloseIndex”とポーズ操作の時刻を示す時刻情報とが記述される。
【００５３】
また、同日の１４時３３分１３秒に記録開始操作が行われ、続いてストップ操作が行われると、図８（Ｂ）に示すＭＰ４ファイルＦＬ２が作成される。ＭＰ４ファイルＦＬ２のヘッダには、インデックス情報“TitleOpenIndex”と記録開始操作の時刻を示す時刻情報とが記述される。
【００５４】
その後の再生モードにおいてＭＰ４ファイルＦＬ１が再生ＭＰ４ファイルとして選択されると、インデックス情報“TitleCloseIndex”および“TitleOpenIndex”と時刻情報とに基づいてＭＰ４ファイルＦＬ２が特定され、ＭＰ４ファイルＦＬ１およびＦＬ２が連続して再生される。
【００５５】
ＣＰＵ４４は、記録モードが選択されたとき図９〜図１２に示す記録制御タスクと図１３に示す撮像条件調整タスクとを含む複数のタスクを並列的に処理し、再生モードが選択されたとき図１４〜図１５に示す再生制御タスクを含む複数のタスクを並列的に処理する。なお、これらのタスクに対応する制御プログラムは、フラッシュメモリ４８に記憶される。
【００５６】
図９を参照して、ステップＳ１では動画取り込み処理を実行する。これによって、スルー画像がＬＣＤモニタ３０に表示される。ステップＳ３では記録開始操作（ムービーボタン４６ｍｖの全押し操作）が行われたか否かを繰り返し判別し、判別結果がＮＯからＹＥＳに更新されるとステップＳ５に進む。ステップＳ５では、メモリＩ／Ｆ４０を通して記録媒体４２にアクセスし、オープン状態のＭＰ４ファイルを記録媒体４２に新規に作成する。
【００５７】
ステップＳ７では、前回の記録終了操作の態様がムービーボタン４６ｍｖの全押しおよび半押しのいずれであるかを判別する。操作態様が全押しであればそのままステップＳ１３に進む一方、操作態様が半押しであればステップＳ９〜Ｓ１１の処理を経てステップＳ１３に進む。ステップＳ１１ではインデックス情報“TitleOpenIndex”をオープンされたＭＰ４ファイルのヘッダの記述し、ステップＳ１３では記録開始操作の時刻を示す時刻情報を同じＭＰ４ファイルのヘッダに記述する。
【００５８】
ステップＳ１３ではＭＰ４符号化処理の開始をＭＰＥＧ４コーデック３８に命令し、ステップＳ１５ではＡＡＣ符号化処理の開始をＡＡＣコーデック３４に命令する。この結果、ＭＰ４コーデック３８によって生成されたＭＰ４データが符号化画像エリア２４ｃに書き込まれ、ＡＡＣコーデック３４によって生成されたＡＡＣデータが符号化音声エリア２４ｄに書き込まれる。
【００５９】
ステップＳ１７では変数Ｋを“１”に設定し、ステップＳ１９では６０＊Ｋフレーム目のＭＰ４データが完成したか否かを判別する。判別結果がＮＯからＹＥＳに更新されると、ステップＳ２１以降の処理を実行する。
【００６０】
ステップＳ２１では、符号化画像エリア２４ｃに格納された最新６０フレームのＭＰ４データをメモリ制御回路２２を通して読み出し、読み出されたＭＰ４データをメモリＩ／Ｆ４０を介してオープン状態のＭＰ４ファイルに書き込む。ステップＳ２３では、符号化音声エリア２４ｄに格納された最新１秒分のＡＡＣデータをメモリ制御回路２２を通して読み出し、読み出されたＡＡＣデータをメモリＩ／Ｆ４０を介してオープン状態のＭＰ４ファイルに書き込む。
【００６１】
ステップＳ２５では、記録終了操作（ムービーボタン４６ｍｖの全押しまたは半押し）が行われたか否かを判別する。判別結果がＮＯであれば、ステップＳ２７で変数ＫをインクリメントしてからステップＳ１９に戻る。したがって、ステップＳ２１〜Ｓ２７の処理は、６０フレームのＭＰ４データが得られる毎に実行される。ステップＳ２５の判別結果がＮＯからＹＥＳに更新されると、ステップＳ２９に進む。
【００６２】
ステップＳ２９ではＭＰ４符号化処理の停止をＭＰＥＧ４コーデック３８に命令し、ステップＳ３１ではＡＡＣ符号化処理の停止をＡＡＣコーデック３４に命令する。ステップＳ３３では、残データ転送処理を実行する。これによって、ＳＤＲＡＭ２４に残存する６０フレーム未満のＭＰ４データおよび１秒未満のＡＡＣデータがＭＰ４ファイルに書き込まれる。ステップＳ３５では、メモリＩ／Ｆ４０を通して記録媒体４２にアクセスし、オープン状態のＭＰ４ファイルをクローズする。
【００６３】
ステップＳ３７では、記録終了操作の態様がムービーボタン４６ｍｖの全押しおよび半押しのいずれであるかを判別する。操作態様が全押しであればステップＳ３９に進む一方、操作態様が半押しであればステップＳ５３に進む。
【００６４】
ステップＳ３９では、ストップマーク点滅表示命令をＬＣＤドライバ２８に向けて発行する。この結果、“ストップ”を表すマークがＬＣＤドライバ２８によってＬＣＤモニタ３０に点滅表示される。
【００６５】
ステップＳ４１ではムービーボタン４６ｍｖが半押しされたか否かを判別し、ステップＳ４３ではステップＳ３９の処理から１秒が経過したか否かを判別する。１秒が経過する前にムービーボタン４６ｍｖが半押しされると、ステップＳ４１からステップＳ４５に進む。ムービーボタン４６ｍｖが半押しされることなく１秒が経過すると、ステップＳ４３からステップＳ５１に進む。
【００６６】
ステップＳ４５では、ポーズマーク点灯表示命令をＬＣＤドライバ２８に向けて発行する。ＬＣＤドライバ２８は、“ポーズ”を表すマークをたとえば２秒間ＬＣＤモニタ２８に連続表示する。ステップＳ４７では、クローズされたＭＰ４ファイルを再度オープンし、インデックス情報“TitleCloseIndex”をオープンされたＭＰ４ファイルのヘッダに記述する。ステップＳ４９では、半押し操作が行われた時刻を示す時刻情報を同じＭＰ４ファイルのヘッダの記述し、その後にＭＰ４ファイルをクローズする。ステップＳ４９の処理が完了すると、ステップＳ３に戻る。
【００６７】
ステップＳ５１では、ストップマーク点灯表示命令をＬＣＤドライバ２８に向けて発行する。ＬＣＤドライバ２８は、“ストップ”を表すマークをたとえば２秒間ＬＣＤモニタ３０に連続表示する。ステップＳ５１の処理が完了すると、ステップＳ３に戻る。
【００６８】
ステップＳ５３では、ポーズマーク点滅表示命令をＬＣＤドライバ２８に向けて発行する。この結果、“ポーズ”を表すマークがＬＣＤモニタ２８によってＬＣＤモニタ３０に点滅表示される。
【００６９】
ステップＳ５５ではムービーボタン４６ｍｖが全押しされたか否かを判別し、ステップＳ５７ではステップＳ５３の処理から１秒が経過したか否かを判別する。１秒が経過する前にムービーボタン４６ｍｖが全押しされると、ステップＳ５５でＹＥＳと判断し、ステップＳ５９で上述したステップＳ５１と同様の処理を実行してからステップＳ３に戻る。ムービーボタン４６ｍｖが全押しされることなく１秒が経過すると、ステップＳ５７でＹＥＳと判断し、ステップＳ６１〜Ｓ６５で上述したステップＳ４５〜Ｓ４９と同様の処理を実行してからステップＳ３に戻る。
【００７０】
図１３を参照して、ステップＳ７１ではフォーカス，絞り量および露光時間を初期化する。ステップＳ７３では垂直同期信号Ｖｓｙｎｃが発生したか否かを判別し、判別結果がＮＯからＹＥＳに更新されるとステップＳ７５でＡＥ処理を実行する。これによって、スルー画像の明るさが適度に調整される。ステップＳ７７ではＡＦ起動条件が満足されるか否かを判別し、ＮＯであればそのままステップＳ７３に戻る一方、ＹＥＳであればステップＳ７９でＡＦ処理を実行してからステップＳ７３に戻る。ＡＦ処理の結果、フォーカスレンズ１２は合焦点に配置され、これによってスルー画像の鮮鋭度が向上する。
【００７１】
図１４を参照して、ステップＳ８１では記録媒体４２に保存された１または２以上のＭＰ４ファイルのいずれか１つを再生ＭＰ４ファイルとして選択する。ステップＳ８３では、再生ＭＰ４ファイルに納められた既定量のＭＰ４データをメモリＩ／Ｆ４０を通して記録媒体４２から読み出し、読み出されたＭＰ４データをメモリ制御回路２２を通してＳＤＲＡＭ２４の符号化画像エリア２４ｃに書き込む。
【００７２】
ステップＳ８５では、再生ＭＰ４ファイルに納められた既定量のＡＡＣデータをメモリＩ／Ｆ４０を通して記録媒体４２から読み出し、読み出されたＡＡＣデータをメモリ制御回路２２を通してＳＤＲＡＭ２４の符号化音声エリア２４ｄに書き込む。
【００７３】
ステップＳ８７では、再生ボタン４６ｐｌｙによって再生開始操作が行われたか否かを繰り返し判別する。判別結果がＮＯからＹＥＳに更新されるとステップＳ８９に進み、再生処理を開始するべく、ＭＰ４復号処理の開始をＭＰＥＧ４コーデック３８に命令し、ＡＡＣ復号処理の開始をＡＡＣコーデック３４に命令する。この結果、再生動画像がＬＣＤモニタ３０に表示され、再生音声が再生動画像に同期してスピーカ３６から出力される。
【００７４】
ステップＳ９１では再生ボタン４６ｐｌｙによって再生終了操作が行われたか否かを判別し、ステップＳ９３ではＳＤＲＡＭ２４に残存する未再生のＭＰ４データのデータ量が閾値ＴＨを下回るか否かを判別する。ステップＳ９１の判別結果がＹＥＳであれば、ステップＳ９５に進み、再生処理を停止するべく、ＭＰ４復号処理の停止をＭＰＥＧ４コーデック３８に命令し、ＡＡＣ復号処理の停止をＡＡＣコーデック３４に命令する。ステップＳ９５の処理が完了すると、ステップＳ８１に戻る。
【００７５】
ステップＳ９３の判別結果がＹＥＳであれば、ステップＳ９７〜Ｓ９９で上述してステップＳ８３〜Ｓ８５と同様の処理を実行する。この結果、再生動画像および再生音声が連続的に出力される。
【００７６】
ステップＳ１０１では、再生ＭＰ４ファイルに格納されたＭＰ４データおよびＡＡＣデータの全てがＳＤＲＡＭ２４に転送されたか否かを判別する。判別結果がＮＯであればステップＳ９１に戻り、判別結果がＹＥＳであればステップＳ１０３に進む。ステップＳ１０３では、インデックス情報“TitleCloseIndex”が再生ＭＰ４ファイルのヘッダに記述されているか否かを判別する。判別結果がＮＯであればステップＳ８１に戻り、判別結果がＹＥＳであればステップＳ１０５に進む。
【００７７】
ステップＳ１０５では、再生ＭＰ４ファイルのヘッダに記述された時刻情報を検出し、検出された時刻情報が示す時刻に直近の時刻を示す時刻情報が記述されたＭＰ４ファイルを探索し、そして再生ＭＰ４ファイルを発見されたＭＰ４ファイルに変更する。再生ＭＰ４ファイルの変更が完了すると、ステップＳ９１に戻る。
【００７８】
以上の説明から分かるように、ムービーボタン４６ｍｖは、非操作状態，半押し状態および全押し状態の間で遷移する。ＣＰＵ４４は、イメージセンサ１６によって捉えられた被写界を表す動画像とマイクロフォン３２によって捉えられた音声とを符号化状態で記録媒体４２に記録する(S13~S23, S27)。ＣＰＵ４４はまた、非操作状態から半押し状態または全押し状態へのムービーボタン４６ｍｖの遷移を動画像および音声の記録処理と並列して検知し(S25)、これに応答して記録処理を停止する(S29~S35)。ＣＰＵ４４はさらに、ムービーボタン４６ｍｖの遷移が検知されてから指定期間（＝１秒）が経過するまでムービーボタン４６ｍｖの状態の変更を受け付けて、ムービーボタン４６ｍｖの操作状態を確定する(S41~S43, S55~S57)。ＣＰＵ３２はまた、記録処理の停止に伴う終端処理をムービーボタン４６ｍｖの確定操作状態に応じて異なる態様で実行する(S45 ~S51, S59~ S65)。
【００７９】
このように、動画像および音声の記録処理の途中でムービーボタン４６ｍｖが操作されると、ムービーボタン４６ｍｖの操作状態に応じて異なる態様で記録処理が停止される。ただし、ボタン操作が検知されてから指定期間が経過するまでボタン操作状態の変更が受け付けられ、これによってボタン操作状態が確定する。終端処理の態様は、確定した操作状態によって異なる。このようにムービーボタン４６ｍｖの操作が検知されてから指定期間に操作状態の変更を受け付けることで、操作ミスを修正することができ、操作性が向上する。
【００８０】
また、この実施例では、記録終了操作の態様が半押しおよび全押しのいずれであっても、記録先のＭＰ４ファイルはクローズされる。これによって、ポーズ状態で電源がオフされたとしても、ＭＰ４データおよびＡＡＣデータを確実に保存することができる。また、終了操作態様に応じて異なる態様の終端処理をファイルクローズの後に実行することで、プログラムを簡単に構築することができる。
【００８１】
なお、この実施例では、確定した記録終了操作に対応した終端処理の後に電源がオフされることを想定していない。しかし、確定した記録終了操作の態様を不揮発状態で保存するようにすれば、記録終了操作の後の電源オフ／オン操作に関わらず、確定した記録終了操作の態様に応じて異なる始端処理を記録開始操作に応答して実行することができる。つまり、記録開始操作→ポーズ操作→電源オフ操作→電源オン操作→記録開始操作→ストップ操作の順で操作が行われた場合に、電源オフ操作の前に作成されたＭＰ４ファイルと電源オン操作の後に作成されたＭＰ４ファイルとの間でリンクが確保される。
【００８２】
また、この実施例では、ポーズ操作が確定した後にムービーボタン４４ｍｖが全押しされると、記録処理が開始され、ポーズ操作前に作成されたＭＰ４ファイルにリンクするＭＰ４ファイルが作成される（図９のステップＳ３〜Ｓ１１参照）。しかし、ポーズ操作が確定した後の特定の操作（たとえば図示しないキャンセルボタンの操作）に応答して、確定操作をストップ操作に変更するとともに、ＭＰ４ファイルのヘッダからインデックス情報“TitleCloseIndex”および時刻情報を削除するようにすれば、ＭＰ４ファイルのリンクを解除することができる。
【００８３】
なお、この実施例では、動画像および音声の両方を記録するようにしているが、動画像および音声の少なくとも一方を記録するようにしてもよい。
【００８４】
また、この実施例では、動画像をＭＰＥＧ４方式で符号化し、音声をＡＡＣ方式で符号化するようにしているが、他の符号化方式を採用するようにしてもよく、さらには符号化することなく記録するようにしてもよい。
【００８５】
さらに、この実施例では、半押し状態を経て全押し状態に遷移するムービーボタン４４ｍｖの操作を参照して上述のような制御を行うようにしている。しかし、非操作状態が中央に割り当てられかつ２つの操作状態が両端にそれぞれ割り当てられたレバーをムービーボタン４４ｍｖの代わりに設け、このようなレバーの操作を参照して上述のような制御を行うようにしてもよい。
【００８６】
なお、この実施例では、マルチタスクＯＳおよびこれによって実行される複数のタスクに相当する制御プログラムは、フラッシュメモリ４８に予め記憶される。しかし、図１６に示すように通信Ｉ／Ｆ５０をディジタルビデオカメラ１０に設け、一部の制御プログラムを内部制御プログラムとしてフラッシュメモリ４８に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００８７】
また、この実施例では、ＣＰＵ４４によって実行される処理を図９〜図１２に示す記録制御タスクと図１３に示す撮像条件調整タスクと図１４〜図１５に示す再生制御タスクとに区分するようにしている。しかし、これらのタスクの各々をさらに複数の小タスクに区分してもよく、さらには区分された複数の小タスクの一部を他のタスクに統合するようにしてもよい。また、これらのタスクの各々を複数の小タスクに区分する場合、その全部または一部を外部サーバから取得するようにしてもよい。
【符号の説明】
【００８８】
１０  …ディジタルビデオカメラ
１６  …イメージセンサ
２６  …後処理回路
３４  …ＡＡＣコーデック
３８  …ＭＰＥＧ４コーデック
４２  …記録媒体
４４  …ＣＰＵ
４６ｍｖ  …ムービーボタン
【図１】
2012004731.tif 000003
【図２】
2012004731.tif 000004
【図３】
2012004731.tif 000005
【図４】
2012004731.tif 000006
【図５】
2012004731.tif 000007
【図６】
2012004731.tif 000008
【図７】
2012004731.tif 000009
【図８】
2012004731.tif 000010
【図９】
2012004731.tif 000011
【図１０】
2012004731.tif 000012
【図１１】
2012004731.tif 000013
【図１２】
2012004731.tif 000014
【図１３】
2012004731.tif 000015
【図１４】
2012004731.tif 000016
【図１５】
2012004731.tif 000017
【図１６】
2012004731.tif 000018